(57)【要約】      （修正有）【課題】本考案は、優れた音場の立体感が得られるヘッドフォンの構造を提供する。【解決手段】主に、固定台２と、前記固定台の一面に形成された出音部と、前記固定台のもう一方の一面に形成された取り付け部と、前記取り付け部と前記出音部の間に形成された延在部と、前記延在部上に形成された複数のホール２３１と、前記ホールの位置に対応してそれぞれ設けられた調音部５と、前記取り付け部上に設けられたスピーカー部品６とからなる。これにより、使用者がヘッドフォンを装着すると、前記取り付け部が外耳道の鼓膜に向かって傾斜するよう設計されているため、前記取り付け部上に設けられた前記スピーカー部品が出す音は、外耳道を直接通って鼓膜に入り受信されると同時に、前記ホールを覆っている前記調音部によって、前記固定台の両側の空洞の圧力比が最も好ましい状態になり、さらに好ましい音場の立体感が得られる。【選択図】図２
0003210655.tif 000002
【実用新案登録請求の範囲】
【請求項１】
固定台と、前記固定台の一面に形成された出音部と、前記出音部の反対側に形成され固定台の一側からもう一方の一側に向かって傾斜して伸びた取り付け部と、前記取り付け部と前記出音部の間に形成された延在部と、
前記延在部上に形成された複数のホールと、
前記ホールの位置に対応して複数設けられた調音部と、
前記取り付け部上に設けられたスピーカー部品と、
からなることを特徴とする、ヘッドフォンの構造。
【請求項２】
前記固定台の一側に裏蓋体３が設けられ、前記裏蓋体における前記固定台の反対側にはカバー体が設けられることを特徴とする、請求項１に記載のヘッドフォンの構造。
【請求項３】
前記出音部と前記取り付け部の間の夾角は１６度から２４度であることを特徴とする、請求項１に記載のヘッドフォンの構造。
【請求項４】
前記出音部と前記取り付け部の間には音場空間が形成され、前記音場空間内には、静電型ドライバーが設けられ、前記静電型ドライバーは前記スピーカー部品と交差して設置され、前記スピーカー部品と前記静電型ドライバー、及び前記静電型ドライバーと前記出音部の間の夾角はすべて０度から２０度であることを特徴とする、請求項１に記載のヘッドフォンの構造。
【請求項５】
前記固定台上にイヤーパッドが設けられることを特徴とする、請求項１に記載のヘッドフォンの構造。
【請求項６】
前記調音部は、調音紙であることを特徴とする、請求項１に記載のヘッドフォンの構造。
【考案の詳細な説明】
【技術分野】
【０００１】
本考案はヘッドフォンに関し、特に、優れた音場の立体感が得られるヘッドフォンの構造に関する。
【背景技術】
【０００２】
ヘッドフォンに好ましい音響効果を備えさせるためのヘッドフォン関係の発明はたくさんある。一般に、イヤホンの構造は、筐体と、蓋体と、スピーカーと、カバー体とからなる。人体の耳内部のホールがスピーカが出す音の方向にちょうど向いていると、最大変動幅の音波を受信することができるが、外耳道がスピーカーが出す音の方向にちゃんと向いていないと、受信される音波の変動幅が比較的小さいため、音響効果があまり良くない。一般のスピーカーの音は使用者の耳の方向にスムーズに届くが、従来のヘッドフォンは、前方の空洞部と後方の空洞部の間の仕切りが上手くできていないため、前方の空洞部の圧力がそのまま後方の空洞部にかかってしまうことによって、音質が下がり、効果的に音源を再現することができず、音場感が得られない。
【考案の概要】
【考案が解決しようとする課題】
【０００３】
本考案は、主に、取り付け部分を傾斜するよう設計することによって、取り付け部分上にあるスピーカー部品が出す音が外耳道から鼓膜に直接届いて受信されることによって、効果的に音質を向上させるヘッドフォンの構造を提供することを目的とする。
【０００４】
さらに、本考案は、ホール上の調音部（調音紙）の設計によって、固定台の両側の空間が最も好ましい圧力比になる上、発生した音が、音場空間において反射することによって、更に好ましい音場の立体感が得られるようにするヘッドフォンの構造を提供することを目的とする。
【課題を解決するための手段】
【０００５】
上述の目的を達成するために、本考案は、主に、固定台と、前記固定台の一面に形成された出音部と、前記固定台における前記出音部の反対側に形成され、前記固定台の一側からもう一方の一側に向かって傾斜して伸びた取り付け部と、前記取り付け部と前記出音部の間に形成された延在部と、前記延在部上に形成された複数のホールと、各前記ホール上にそれぞれ設けられ、前記ホールを覆っている調音部と、前記取り付け部上に設けられたスピーカー部品とからなる。また、前記出音部と前記取り付け部の間には音場空間が形成される。これによって、使用者が本考案のヘッドフォンを使用すると、前記取り付けの部が傾斜するよう設計されているため、前記スピーカー部品が出す音は、使用者の外耳道を直接通って鼓膜に入ることで、音質が向上する。また、前記スピーカー部品が出す音は、前記出音部と前記取り付け部の間の前記音場空間で反射現象を起こすため、音を聞く際、全体的にさらに生の臨場感が味わえる。さらに、前記スピーカー部品が出す音は、前記延在部の方向に向かって進むとき、前記調音部の設計によって、音圧が直接ホールを突き抜けることなく遮られるため、音は前記音場空間内にとどめられ、全体的な音場感覚が更に向上する。
【考案の効果】
【０００６】
上述した技術により、従来のヘッドフォンに存在していた、前方の空洞部と後方の空洞部の間の仕切りが上手くできていないため、前方の空洞部の圧力がそのまま後方の空洞部にかかってしまうことによって、音質が下がり、効果的に音源を再現することができず、音場感が全体的に得られないという問題点を解決して、本考案の上述した利点による実用進歩性を達成する。
【図面の簡単な説明】
【０００７】
【図１】本考案の好ましい実施例を示した斜視図である。
【図２】本考案の好ましい実施例を示した分解図である。
【図３】本考案の固定台の断面図である。
【図４】本考案の好ましい実施例の実施図である。
【図５】本考案の好ましい実施例における音場回転を示した図である。
【図６】本考案の別の好ましい実施例の実施図である。
【考案を実施するための形態】
【０００８】
図１、図２、及び図３はそれぞれ、本考案の好ましい実施例の斜視図、分解図、及び固定台の断面図である。図から分かるように、本考案はイヤーパッド１と、固定台２と、出音部２１と、取り付け部２２と、延在部２３と、裏蓋体３と、カバー体４と、ホール２３１と、複数の調音部５と、スピーカー部品６と、からなる。
【０００９】
イヤーパッド１と連結された固定台２には、一面に出音部２１が形成され、出音部２１の反対側には、前記固定台２の一側からもう一方の一側に向かって傾斜して伸びた取り付け部２２が形成され、しかも、取り付け部２２と出音部２１の間には、延在部２３が形成されるともに、出音部２１と取り付け部２２の間には音場空間２４が形成される。
【００１０】
裏蓋体３は固定台２の一側に設けられ、裏蓋体３における固定台２の反対側にはカバー体４が設けられる。
【００１１】
延在部２３上には、ホール２３１が複数形成される。
【００１２】
調音部５はホール２３１に対応して複数設けられ、調音部５は一種の調音紙である。
【００１３】
スピーカー部品６は取り付け部２２上に設けられる。
【００１４】
さらに、出音部２１と取り付け部２２の間の夾角は１６度から２４度であるが、最も好ましい角度は２０度である。
【００１５】
図１から図５（本考案の好ましい実施例の斜視図、分解図、固定台の断面図、実施図、及び音場回転を示した図）を併せて参照する。図から分かる通り、使用者がヘッドフォンを装着した時、イヤーパッド１が、耳の周りを覆ってしまうことで、音場空間２４は比較的密封された空間を形成する上、装着後のスピーカー部品６は、その音が出る方向が使用者の外耳道の位置にぴったり対応するよう形成される。それにより、スピーカー部品６が音を出す時、その音は出音部２を通して直接、外耳道に届くとともに、さらに鼓膜にまで届くため、効果的に音質が向上される。その上、その音はイヤーパッド１及び固定台２によって囲まれた音場空間２４の影響を受けて、音場空間２４内で反射するため、非常に好ましい音場の立体感を得ることができる。更に重要な点として、その音は、音場空間２４内で回転する時、音の気流の一部がホール２３１の方向に向かって進み、ホール２３１上の調音部５によって遮られることによって、音の気流は勢いよく直接奥までいかず、音場空間２４内にとどめることができる。
【００１６】
さらに、裏蓋体３と、カバー体４と、固定台２とを連結すると、固定台２とカバー体４の間に一つ後空洞が形成され、その名前の示す通り、音場空間２４内の音の気流は、ホール２３１を通り抜けることなく後空洞へいき、音場空間２４と後空洞を隔離するため、音場空間２４と後空洞の空気圧を最も好ましい比率にすることができる。
【００１７】
本考案の別の好ましい実施例における実施を示した図である図６を参照する。図から分かる通り、音場空間２４ａ内には、静電型ドライバー７ａが設けられ、静電型ドライバー７ａはスピーカー部品６ａと交差して設置され、スピーカー部品６ａと静電型ドライバー７ａ、及びと静電型ドライバー７ａと出音部２１ａの間の夾角はすべて０度から２０度である。このように、静電型ドライバー７ａとスピーカー部品６ａが交差した設計によって、さらに好ましい音場効果を得ることができる。
【００１８】
全ての図を参照する。図から分かる通り、本考案を使用した場合、従来の技術と比較して、以下に挙げる利点が確実に存在する。
【００１９】
一、取り付け部２２の傾斜した設計によって、取り付け部２２上のスピーカー部品６が出す音は、外耳道を直接通って鼓膜に入り、受信されるため、効果的に音質を向上させることができる。
【００２０】
二、ホール２３１上の調音部５（調音紙）の設計によって、固定台２の両側の音場空間２４、及び後空洞の圧力比は最も好ましい状態になる上、発生した音はその音場空間２４内で反射するため、さらに好ましい音場感覚を備える。
【符号の説明】
【００２１】
１      イヤーパッド
２      固定台
２１、２１ａ  出音部
２２    取り付け部
２３    延在部
２３１  ホール
２４、２４ａ  音場空間
３      裏蓋体
４      カバー体
５      調音部
６、６ａ  スピーカー部品
７ａ    静電型ドライバー
【図１】
0003210655.tif 000003
【図２】
0003210655.tif 000004
【図３】
0003210655.tif 000005
【図４】
0003210655.tif 000006
【図５】
0003210655.tif 000007
【図６】
0003210655.tif 000008